(57)【要約】【課題】  棟の両側においてフィルム押え材に対し巻締め力がより均一に加わり、部品点数が少ないビニールハウスを提供することである。【解決手段】  多数のアーチ形フレームを所定の間隔で棟方向に沿って重なるように設け、アーチ形フレームの外側に透明な可動フィルムを両裾部方向から巻き上げ得る状態に張り、棟上に沿って巻締め軸を回転可能に取り付け、当該巻締め軸には、各アーチ形フレーム相互の間又はいくつかのアーチ形フレーム相互の間に位置し、かつハウスの各裾方向に延びる状態に帯状，テープ状又は紐（ロープ）状のフィルム押え材を固定し、各フィルム押え材の裾方向の先端部を裾部又は裾部近傍に設けた取付部材へ取り外し可能に取り付け、前記締付け軸を一方向へ回転させて両裾方向に延びる各フィルム押え材を同時に巻き締めることにより前記可動フィルムを押えることを特徴とする。【選択図】      図１
2005052082.tif 000002
【特許請求の範囲】
【請求項１】
多数のアーチ形フレームを所定の間隔で棟方向に沿ってほぼ重なるように設け、前記アーチ形フレームの外側に透明な可動フィルムを棟の両裾部方向から巻き上げ得る状態に張ったハウスにおいて、当該ハウスの棟上に沿って巻締め軸を回転可能に取り付け、当該巻締め軸には、各アーチ形フレーム相互の間又はいくつかのアーチ形フレーム相互の間に位置し、かつハウスの各裾方向に延びる状態に帯状，テープ状又は紐（ロープ）状のフィルム押え材を固定し、各フィルム押え材の裾方向の先端部を裾部又は裾部近傍に設けた取付部材へ取り外し可能に取り付け、前記締付け軸を一方向へ回転させて両裾方向に延びる各フィルム押え材を同時に巻締めることにより前記可動フィルムを押えることを特徴とするビニールハウス。
【請求項２】
各フィルム押え材は両裾方向に延びる部分が一体的に連続していることを特徴とする、請求項１に記載のビニールハウス。
【請求項３】
各フィルム押え材は、両裾方向に延びるフィルム押え部材を前記締付け軸との間に挟んで当該巻締め軸に嵌め付けられる弾性を有する所定長さの樋状のクリップ部材により前記巻締め軸に固定したことを特徴とする、請求項１又は２に記載のビニールハウス。
【請求項４】
一対の挟み板と、当該挟み板の重なる両端部相互をねじ締める一対のねじとからなる取付金具を設け、各フィルム押え材の棟裾方向の端部を対応する取付部材に引掛けて折り返し、折返したフィルム押え材の重なり部分を前記取付金具で挟み付けけることにより、各フィルム押え材を対応する取付部材に取り付けたことを特徴とする、請求項１〜３のいずれかに記載のビニールハウス。
【請求項５】
前記取付部材はハウスの裾部又は裾部近傍に棟方向に沿って設けた一本のバーであることを特徴とする、請求項１〜４のいずれかに記載のビニールハウス。
【請求項６】
前記アーチ形フレームの中の棟方向両端部における複数本にまたが状態に、前記可動フィルムの下に位置する端部フィルムを固定張りしたことを特徴とする、請求項１〜５のいずれかに記載のビニールハウス。
【発明の詳細な説明】
【技術分野】
【０００１】
本発明は一般的にはビニールハウスに関するものであり、さらに具体的には、屋根上に裾方向から巻上げ得る状態に張られた透明な可動フィルムの押え構造に特徴を有するビニールハウスに関するものである。
【背景技術】
【０００２】
後記の特許文献１には、従来の代表的な可動フィルムの押え構造を有するビニールハウスが記載されている。
以下その構成を説明する。
多数のアーチ形フレームが所定の間隔で棟方向に沿ってほぼ重なるように設けられ、各アーチ形フレームは棟方向に沿う連結バーによって相互に連結されている。アーチ形フレームの中の棟方向両端部における少なくとも二本の上にまたがるように、端部フィルムが固定張りされている。
前記アーチ形フレームの上には、各端部フィルムの上に重なり、かつ棟の両裾部方向から巻き上げ得る状態に透明な可動フィルムが張られている。この可動フィルムは、各端部フィルムと重なる部分が帯状のシート又はネットにより押えられ、その他の部分が各アーチ形フレームの間においてロープ又はテープからなるフィルム押え材によりアーチ形フレームへ押えられている。
帯状のシートを含むフィルム押え材は、その両端部がハウスの裾部近傍に棟方向に沿って回転可能に設置された巻締め軸に固定されており、各巻締め軸を互いに逆方向へ回転させてフィルム押え材を巻き締めることにより、可動フィルムを押えている。
【０００３】
前記のビニールハウスは、その公報に記載されているような効果を奏するものであったが、フィルム押え材は、両端部を巻き締める過程で中央部が棟部に沿って設けられた屋根骨に押え付けられ、中央部が屋根骨に押え付けられた段階からは、両側部のフィルム押え材に加わる力が不均一になり、その結果フィルムを押える力が棟の両側部において不均一になり易かった。
また、巻締め軸が屋根の両側に設けられているので、巻締め軸、当該巻締め軸を設置する金具等の部品点数を多く必要とした。
さらに、連棟ハウスの谷部（最外側部分以外の屋根の裾部に相当）では、狭い場所（谷部）で二本の巻締め軸を回転させるので当該部分の操作構造が複雑であった。
【特許文献１】特公平２−１４００９号公報
【発明の開示】
【発明が解決しようとする課題】
【０００４】
本発明の課題は、棟の両側において帯状，テープ状又は紐（ロープ)状のフィルム押え材に対し巻締め力がより均一に加わり、部品点数がより少なく、連棟ハウスにおける谷部の操作構造がより簡単なフィルム押え構造を有するビニールハウスを提供することである。
【課題を解決するための手段】
【０００５】
本発明に係るビニールハウスは、前述の課題を解決するため、多数のアーチ形フレームを所定の間隔で棟方向に沿ってほぼ重なるように設け、前記アーチ形フレームの外側に透明な可動フィルムを棟の両裾部方向から巻き上げ得る状態に張ったハウスにおいて、当該ハウスの棟上に沿って巻締め軸を回転可能に取り付け、当該巻締め軸には、各アーチ形フレーム相互の間又はいくつかのアーチ形フレーム相互の間に位置し、かつハウスの各裾方向に延びる状態に帯状，テープ状又は紐（ロープ）状のフィルム押え材を固定し、各フィルム押え材の裾方向の先端部を裾部又は裾部近傍に設けた取付部材へ取り外し可能に取り付け、前記締付け軸を一方向へ回転させて両裾方向に延びる各フィルム押え材を同時に巻き締めることにより前記可動フィルムを押えることを最も主要な特徴としている。
【発明の効果】
【０００６】
本発明に係るビニールハウスは、ハウスの棟部に沿って設けられた一本の巻締め軸で棟の両側におけるフィルム押え材を同時に巻き締め、それらを緊張させることにより可動フィルムを押えるので、両側のフィルム押え材により均一な力が加わる。
各棟毎に巻締め軸が一本で済むので、部品点数が少なくて設置費用がそれだけ廉価になるとともに、操作構造がよりシンプルになる。
【発明を実施するための最良の形態】
【０００７】
第１実施形態
図１は第１実施形態のビニールハウス（単棟式）において可動フィルムを一部巻き上げた状態の部分斜視図、図２は図１のビニールハウスの可動フィルムを棟の裾部まで巻き下げた状態の部分斜視図、図３はフィルムの定着要領を示す部分分解斜視図、図４は棟上の巻締め軸の取付状態とその周辺部分の部分拡大断面図、図５は巻締め軸へのフィルム押え材の取付要領を示すを示す部分拡大断面図、図６は巻締め軸へのフィルム押え材の他の取付要領を示す図で、（ａ）図は巻締め軸にフィルム押え材とクリップ部材とをセットした状態の部分拡大断面図、（ｂ）図は（ａ）図の状態から巻締め軸を二回転させた状態の部分拡大断面図、（ｃ）図は（ｂ）図の状態でクリップ部材を巻締め軸に嵌め付けてフィルム押え材を緊張させた状態の部分拡大断面図、図７は取付部材へフィルム押え材の裾方向の端部を取り付けた状態の部分拡大斜視図である。
【０００８】
図１及び図２で示すように、路面上に金属パイプからなる多数のアーチ形フレーム１が所定の間隔で棟方向に沿ってほぼ重なるように立設され、これらのアーチ形フレーム１は、棟方向に沿う数本の金属パイプからなる連結バー１１（図４）で相互に連結されている。
前記アーチ形フレームの外側には、透明な可動フィルム２を棟の両裾部方向から巻き上げ得る状態に張りってハウスの屋根１０を構成している。
この実施形態においては、アーチ形フレーム１の中の棟方向両端部における複数本（この実施形態では三本）にまたがる状態に、あらかじめ端部フィルム３を固定張りするほか、棟の裾部に所定幅の裾部フィルム４を固定張りし、可動フィルム２の両端部分は端部フィルム３の上に重なるように構成している。
【０００９】
図１及び図２では省略されているが、ハウスの妻面の１部には方形枠状の出入り口が取り付けられており、この出入り口には透明なフィルムを張った引き戸又は扉が取り付けられている。
【００１０】
アーチ形フレーム１の上には図示しない取付金具により定着用のチャンネル状部材１２が棟部に沿って取り付けられており、このチャンネル状部材１２には屋根１０の両裾方向に延びるように可動フィルム２が定着されている。
チャンネル状部材１２は、図３及び図４で示すようにほぼあり溝形状に成形された金属板から構成されている。このようなチャンネル状部材１２をアーチ形フレーム１の上に棟部に沿って取り付け、このチャンネル状部材１２の上に両裾方向の可動フィルム２，２の上端部を被せ、これらの可動フィルム２を、ほぼ波形に成形された押えばね１２ａでチャンネル状部材１２の内部両側に押し込む要領で定着している。
【００１１】
両裾方向に延びる各可動フィルム２の裾方向の端部は、それぞれ棟と平行する金属パイプからなる巻取り軸２０に固定され、この巻取り軸２０の一端部には自在継手２２を介して巻取り操作具２１が連結されている。この巻取り操作具２１を手動操作し、巻取り軸２０をアーチ形フレーム１上で巻取り方向に回す（転がす）ことにより可動フィルム２を裾方向から巻き上げ、当該巻取り軸２０を逆方向に回すことにより可動フィルム２を巻き下げるように構成されている。
巻取り操作具２１は、巻取り軸２０がアーチ形フレーム１の上の所望の位置に達したとき操作を停止し、当該巻取り操作具２１の軸部を巻取り軸２０に対してほぼ直角に保った状態で、当該巻取り操作具２１の軸部に対して図示しないスプリングにより巻取り方向へ適度のテンションを加えると、巻取り軸２０がその位置で回転停止状態を維持するように構成されている。
【００１２】
各端部フィルム３は、当該部分のアーチ形フレーム１の上に沿って取り付けられた一対のチャンネル状部材１２，１２と、図３の押えばね１２ａと同様な波形の各押えばねよって固定張りされている。また各裾部フィルム４も、裾部においてアーチ形フレーム１に棟方向に沿って取り付けられた同様な一対のチャンネル状部材(図示しない）と、同様な各押えばね(図示しない）とにより固定張りされている。
【００１３】
屋根１０の棟部に沿って取り付けられているチャンネル状部材１２の上には、所定間隔に配置された軸受部材５０により、適当量浮上した状態で金属パイプからなる巻締め軸５が回転自在に取り付けられている。
軸受部材５０は曲げ成形された金属板であり、巻締め軸５を回転自在に保持する円弧状の軸受部５０ａと、この軸受部５０ａの両端部と一体な外向き状態のＬ字状の脚板５０ｂ，５０ｂとから構成されている。
各脚板５０ｂの先端部は、一方の脚板５０ｂの側部から内側へ貫通状にねじ込まれた押しねじ５０ｃによって押し広げられ、それぞれチャンネル状部材１２のあり溝の内側に押し込まれた状態で当該チャンネル状部材１２へ取り付けられている。５０ｄは、脚板５０ｃ相互の基部の間隔を保つボルトナットである。
【００１４】
巻締め軸５の一端部には、回転規制板５３と自在継手５２を介して回転操作具５１が取り付けられており、この回転操作具５１を手動操作することにより、巻締め軸５を回転させて後述のフィルム押え材６を巻き締め、あるいはこれを緩めるように構成されている。
回転規制板５３は、円形の基板の外周部へ回転操作具５１の方向に起立するように所定の間隔（回転操作具５１の軸部の外径よりも大きい間隔）で係止突起を形成したものである。このような構成により、後述のフィルム押え材６を所定限度まで巻き締めた状態で回転操作具５１の軸部を任意の係止突起相互の間に案内（この状態では、回転操作具５１の軸部は巻締め軸５に対してほぼ直角になる）し、図示しないばねにより当該回転操作具５１の軸部へ巻締め方向に所定のテンションを加えると、巻締め軸５は巻締め方向にも巻戻し方向(緩め方向）にも回転しない状態で停止する。
【００１５】
ハウスの各裾部又はその近傍には、棟方向に沿って連続するように棒状の取付部材７が路面から適当量浮上した状態に設置されている。この実施形態では、路面にねじ込まれるスクリュー状のアンカー７１を有する短管状の保持金具７０を、同じレベルになるように所定間隔に設置し、前記各保持金具７０に棒状の取付部材７を挿通した状態で保持させている。なお、取付部材７０は、適当な取付具によりアーチ形フレーム１の裾方向の部分に取り付けてもよい。
【００１６】
前記巻締め軸５には、各裾方向に延びる状態に帯状，テープ状又は紐（ロープ）状のフィルム押え材６が所定間隔に固定され、各フィルム押え材６の裾方向の先端部は前記取付部材７へ取り外し可能に取り付けられている。
この実施形態において、フィルム押え材は幅４０〜５０ｍｍ程度の帯状であって厚めのビニールが使用されており、端部フィルム３と可動フィルム２が重なるハウスの端部ではアーチ形フレーム１の相互の間に位置し、その他の部分では一つ置きのアーチ形フレーム１相互の間に位置するように配置されている。
前記のように両裾方向に延びるように設けられた各フィルム押え材６は、巻締め軸５を一方向へ回転させて同時に巻締めることにより、前記可動フィルム２を押えるように構成されている。
【００１７】
この実施形態において、各フィルム押え材６は両裾方向に延びる部分が一体的に連続しており、それらのほぼ中央部分は、例えばアルミ合金製でフィルム押え材６の幅の三倍程度の長さを有しかつ断面円弧状で樋状のクリップ部材６０と、このクリップ部材６０と硬く嵌め合わされた巻締め軸５との間に挟まれた状態で当該巻締め軸５に固定されている。
各フィルム押え材６の裾方向の端部は、それぞれ取付部材７に引掛けて折り返し、折り返した当該フィルム押え材６の折返し重ね部６ａを取付金具６１で挟み付けることにより、取付部材７に取り付けられている。
各取付金具６１は、図７で示すように一対の挟み板６２，６３と、当該挟み板６２，６３の重なる両端部相互をねじ締める一対のねじ６４，６５とから構成されている。一方の挟み板６３の一方のねじ案内孔６３ａは当該挟み板６３の一方の長辺へ連続しており、一方のねじ６４を中心として一方の挟み板６３を回動させてねじ案内孔６３ａへ他方のねじ６５を案内できるようにし、フィルム押え材６の折返し重ね部６ａの挟み付け操作がより簡単になるように構成している。
他方の挟み板６２にはねじタップが形成されているが、この挟み板６２へねじ案内孔を形成し、ねじ６４，６５の軸部に図示しないナットを取り付けるように構成してもよい。
【００１８】
各フィルム押え材６の巻締め軸５及び取付部材７への取付けは、以下要領によって簡単にかつより円滑に行われる。
すなわち、全部のフィルム押え材６を一棟のハウスへ一斉に取り付ける場合には、各フィルム押え材６をその中央部が巻締め軸５の上に位置するように屋根上にセットし、図５のように巻締め軸５とクリップ部材６０とでフィルム押え材６を挟んだ状態で各クリップ部材６０を巻締め軸５と堅く嵌め合わせる。この状態で図６の（ｃ）図のように巻締め軸５を一方に二回り程度回転させて、巻締め軸５に両側のフィルム押え材６を二回程度巻き付けた後、各フィルム押え材６をそれらのテンションがより均一になるように裾方向に引き締め、それらの端部を図７の要領で対応する取付部材７に取り付ける。
【００１９】
他方、例えば一部のフィルム押え材６を新たなものと取り替える場合のように、ハウスに対し部分的にフィルム押え材６を取り付ける場合には、図６の要領で取り付けるのがより円滑である。
先ず巻締め軸５を緩め方向に回転させ、既に取り付けてあるフィルム押え材６を完全に緩める。図６の（ａ）図のように、取り付けようとするフィルム押え材６のほぼ中央部とクリップ部材６０とを巻締め軸５の上に重ね、この状態で（ｂ）図のように巻締め軸５をフィルム押え材６の巻締め方向へ二回り程度回転させた後、クリップ部材６０と巻締め軸５とを堅くはめ合わせて当該フィルム押え材６を巻締め軸５に固定する。次いで（ｃ）図のように、当該フィルム押え材６をそれらのテンションが他のものとより均一になるように裾方向に引き締めた後、それらの端部を図７の要領で対応する取付部材７に取り付ける。
【００２０】
以上のように構成されたビニールハウスにおいて、図２のように全体が可動フィルム２で覆われていて換気が必要なときは、巻締め軸５を緩め方向に例えば一回転させてフィルム押え材６を必要なだけ緩め、図１のように巻取り軸２０を回転させて可動フィルム２をハウスの裾方向から棟に向かって必要量巻き上げ、巻締め軸５を再度巻き締める。このとき、必要に応じてハウスの両裾方向の可動フィルム２を巻上げることも、あるいは片側の可動フィルム２のみを巻き上げることもできる。逆の場合にはフィルム押え材６を必要なだけ緩め、可動フィルム２を必要量巻き下げてフィルム押え材６を再度巻き締める。
可動フィルム２の最大の巻上げ量は、巻取り軸２０が巻締め軸５に近接する位置に達するまでであるが、可動フィルム２の巻上げ量は、必要な換気量すなわちハウス内で要求される必要な温度，湿度と、当該ハウス内の実際の温度，湿度との差による。
【００２１】
フィルム押え材６を取り付ける際、巻締め軸５をフィルム押え材６の緩み方向に回転させたとき、巻締め軸５にフィルム押え材６が少なくとも一回巻き程度残る状態で、当該フィルム押え材６が可動フィルム２の巻上げ巻下げのために必要十分なだけ緩むように調整するのが好ましい。そのように調整してあると、巻締め軸５には常に少なくとも一回巻きのフィルム押え材６が残り、クリップ部材６０が巻締め軸５に対して緩んでも当該クリップ部材６０が巻締め軸５から外れず、フィルム押え材６の巻締め軸５への固定状態が維持されるからである。
【００２２】
前記実施形態のビニールハウスによれば、棟部に沿って設けられた一本の巻締め軸５で棟の両側におけるフィルム押え材６を同時に巻き締め、それらを緊張させることにより可動フィルム２を押えるので、両側のフィルム押え材６により均一な力が加わる。
各棟毎に巻締め軸５が一本で済むので、部品点数が少なくて設置費用がそれだけ廉価になる。
フィルム押え材６が帯状である場合には、可動フィルム２と端部フィルム３との重なり部分以外の部分において、当該フィルム押え材６の設置本数を前記実施形態のように少なくすることができる。
前述のようなクリップ部材６０によりフィルム押え材６を巻締め軸５に固定することにより、当該固定作業が非常に簡単にかつ円滑になる。
フィルム押え材６の裾方向の端部を、前述のような取付金具６１によって取付部材７に取り付けることにより、当該取付作業が非常に簡単かつ円滑になる。
【００２３】
第２実施形態
図８は本発明に係るビニールハウスを連棟ハウスについて実施した実施形態の部分概略正面図である。
連棟の各谷部が位置する部部には、支柱８０により長尺の支持部材８をそれぞれ水平に設置し、支持部材８の側縁の内側寄り位置には両側の棟の各アーチ形フレーム１を保持させ、各棟のアーチ形フレーム１相互を複数の連結バー１１で互いに連結している。
支持部材８の上には、隣接の棟のアーチ形フレーム１，１相互の間に位置するように樋８１を取り付け、樋８１内には内底部から浮上した状態に保持孔を有する板状の保持金具７０を所定の間隔に取り付け、各保持金具７０にはそれぞれの保持孔に挿通された状態で両側の棟に対応する棒状の取付部材７，７が保持させてある。
アーチ形フレーム１の棟部の上には、第１実施形態と同様にチャンネル状部材１２を取り付け、このチャンネル状部材１２へ第１実施形態と同様な要領で透明な可動フィルム２の上端部を定着し、各可動フィルム２をそれぞれ裾方向に伸ばした状態で張ることにより、それぞれ屋根１０を構成している。
【００２４】
各屋根１０には、第１実施形態と同様に端部フィルム及び裾部フィルムを固定張りしている。
可動フィルム２の裾方向の端部を巻取り軸２０に固定するとともに、第１実施形態と同様に配置された各フィルム押え材６の一端部を、棟部に取り付けた巻締め軸５へ固定するとともに、その裾方向の端部を取付部材７に取り付けている。
このような連棟ハウスにおいては、以上のように構成することにより、巻締め軸５を連棟の谷部において回転させることなく、フィルム押え材６の巻締めや緩めの操作がなされるので、その操作構造が簡単になる。
その他の構成や操作要領及び作用効果は第１実施形態のものと同様であるので、それらの説明は省略する。
【００２５】
前記各実施形態では、フィルム押え材６を屋根の両側において一体的に連続するものを使用したが、フィルム押え材６は両裾方向に延びる部分、すなわち屋根の両側に位置する部分が巻締め軸５の部分で分離していていても実施することができる。
【図面の簡単な説明】
【００２６】
【図１】本発明に係る第１実施形態のビニールハウス（単棟式）において可動フィルムを一部巻き上げた状態の部分斜視図である。
【図２】図１のビニールハウスの可動フィルムを棟の裾部まで巻き下げた状態の部分斜視図である。
【図３】図１のビニールハウスのフィルムの定着要領を示す部分分解斜視図である。
【図４】図１のビニールハウスの巻締め軸の取付状態とその周辺部分の部分拡大断面図である。
【図５】図１のビニールハウスの巻締め軸へのフィルム押え材の取付要領を示すを示す部分拡大断面図である。
【図６】図１のビニールハウスにおける巻締め軸へのフィルム押え材の他の取付要領を示す図で、（ａ）図は巻締め軸にフィルム押え材とクリップ部材とをセットした状態の部分拡大断面図、（ｂ）図は（ａ）図の状態から巻締め軸を二回転させた状態の部分拡大断面図、（ｃ）図は（ｂ）図の状態でクリップ部材を巻締め軸に嵌め付けてフィルム押え材を緊張させた状態の部分拡大断面図である。
【図７】図１のビニールハウスにおける取付部材へフィルム押え材の裾方向の端部を固定した状態の部分拡大斜視図である。
【図８】本発明に係る第２実施形態のビニールハウス（連棟型）の部分概略正面図である。
【符号の説明】
【００２７】
１  アーチ形フレーム
１０  ハウスの屋根
１１  連結バー
１２  チャンネル状部材
１２ａ  押えばね
２  可動フィルム
２０  巻取り軸
２１  巻取り操作具
２２，５２  自在継手
３  端部フィルム
４  裾部フィルム
５  巻締め軸
５０  軸受部材
５１  回転操作具
５３  回転規制板
６  フィルム押え材
６０  クリップ部材
６１  取付金具
６２，６３  挟み板
６４，６５  ねじ
７  取付部材
７０  保持金具
７１  アンカー
８  支持部材
８１  支柱
【図１】
2005052082.tif 000003
【図２】
2005052082.tif 000004
【図３】
2005052082.tif 000005
【図４】
2005052082.tif 000006
【図５】
2005052082.tif 000007
【図６】
2005052082.tif 000008
【図７】
2005052082.tif 000009
【図８】
2005052082.tif 000010